(57)【要約】【課題】ミオクローヌス等の発生の位置（領域）及び時間、並びに時間的変動を、（身体に対して網羅的に）空間的及び時間的高解像度で検出してマッピングできる装置がない。【解決手段】観測対象領域配置手段と、探査点配置手段と、探査点状態検出手段と、検出情報入力手段と、探査点状態マッピング手段と、を備えることを特徴とするので、ミオクローヌス等の発生の位置（領域）及び時間、並びに時間的変動を、（身体に対して網羅的に）空間的及び時間的高解像度で（自動的に）検出でき、その検出結果を空間的（ミオクローヌス等発生の位置）及び時系列的（ミオクローヌス等発生の時間）に見やすく（必要に応じてその空間的情報と時系列的情報の相互の関連性（写像関係）を明示して）マッピングできる探査点状態マッピング装置。【選択図】図１
2011139892.tif 000002
【特許請求の範囲】
【請求項１】
観測対象に観測対象領域を配置する観測対象領域配置手段と、
該観測対象領域配置手段により配置される前記観測対象領域に対して少なくとも一点以上の探査点を配する探査点配置手段と、
該探査点配置手段により配される前記探査点における状態である探査点状態を検出する探査点状態検出手段と、
該探査点状態検出手段により検出された前記探査点状態に関する情報を、該探査点状態が検出された前記探査点の前記観測対象領域における相対的位置に対応付けてＣＰＵへ入力する検出情報入力手段と、
該検出情報入力手段によりＣＰＵへ入力された情報を基に、ＣＰＵが、前記探査点状態に関するマッピングを行い出力装置に出力する探査点状態マッピング手段と、
を備えることを特徴とする探査点状態マッピング装置。
【請求項２】
前記探査点状態マッピング手段は、
前記検出情報入力手段により前記ＣＰＵへ入力された情報を基に、
前記探査点状態が検出された前記探査点の、前記観測対象領域に対する相対的位置に基づく情報に基づき、前記ＣＰＵが、前記探査点状態に関する空間的マッピングを行い前記出力装置に出力する空間的マッピング手段であることを特徴とする請求項１に記載の探査点状態マッピング装置。
【請求項３】
前記空間的マッピング手段は、さらに、前記出力装置に出力される前記空間的マッピングの表示の縮尺の変更を受け付け実行する空間的マッピング表示縮尺変更手段を備えることを特徴とする請求項２に記載の探査点状態マッピング装置。
【請求項４】
前記探査点状態マッピング手段は、
前記検出情報入力手段により前記ＣＰＵへ入力された情報を基に、
前記探査点状態が検出された時間に基づく時間的情報に基づき、前記ＣＰＵが、前記探査点状態に関する時系列的マッピングを行い前記出力装置に出力する時系列的マッピング手段をさらに備えることを特徴とする請求項１〜請求項３のいずれか一項に記載の探査点状態マッピング装置。
【請求項５】
前記時系列的マッピング手段は、さらに、前記出力装置に出力される前記時系列的マッピングの表示の縮尺の変更を受け付け実行する時系列的マッピング表示縮尺変更手段を備えることを特徴とする請求項４に記載の探査点状態マッピング装置。
【請求項６】
前記探査点状態マッピング手段は、
前記空間的マッピング手段による前記探査点状態に関する空間的マッピングにおいて、空間的領域の選択の指示を受付ける空間的領域選択指示受付手段と、
該空間的領域選択指示受付手段により受付けられた前記空間的領域における前記探査点状態が検出された時間に基づく時間的情報に基づき、前記ＣＰＵが、前記空間的領域における探査点状態に関する時系列的マッピングを前記出力装置に出力する、空間時間写像手段とを、さらに備えることを特徴とする請求項２又は請求項３に記載の探査点状態マッピング装置。
【請求項７】
前記時系列的マッピング手段は、さらに、前記出力装置に出力される前記時系列的マッピングの表示の縮尺の変更を受け付け実行する時系列的マッピング表示縮尺変更手段、を、備えることを特徴とする請求項６に記載の探査点状態マッピング装置。
【請求項８】
前記探査点状態マッピング手段は、
前記検出情報入力手段により前記ＣＰＵへ入力された情報を基に、
前記探査点状態が検出された時間に基づく時間的情報に基づき、前記ＣＰＵが、前記探査点状態に関する時系列的マッピングを行い前記出力装置に出力する時系列的マッピング手段と、
該時系列的マッピング手段による前記探査点状態に関する時系列的マッピングにおいて、
時間の選択の指示を受付ける時間選択指示受付手段と、
該時間選択指示受付手段により受付けられた前記時間における前記探査点状態が検出された前記探査点の、前記観測対象領域に対する相対的位置に基づく情報に基づき、
前記ＣＰＵが、前記時間における探査点状態に関する空間的マッピングを前記出力装置に出力する、時間空間写像手段とを、さらに備えることを特徴とする請求項１に記載の探査点状態マッピング装置。
【請求項９】
前記空間的マッピング手段は、さらに、前記出力装置に出力される前記探査点状態に関する空間的マッピングの表示の縮尺の変更を受け付け実行する空間的マッピング表示縮尺変更手段を備えること、
を特徴とする請求項８に記載の探査点状態マッピング装置。
【請求項１０】
前記時系列的マッピング手段は、さらに、前記出力装置に出力される前記探査点状態に関する時系列的マッピングの表示の縮尺の変更を受け付け実行する時系列的マッピング表示縮尺変更手段をさらに備えることを特徴とする請求項８又は請求項９に記載の探査点状態マッピング装置。
【請求項１１】
前記探査点状態マッピング手段は、
前記探査点状態検出手段により検出される前記探査点状態の特性の重要性を判定する探査点状態特性判定手段をさらに備え、該探査点状態特性判定手段によって重要であると判定された前記探査点状態については、
前記出力装置からの出力において常に省略されることなく観察可能な表示形態で、ＣＰＵが、前記探査点状態に関してマッピングを行い出力装置に出力することを特徴とする請求項１〜１０のいずれか一項に記載の探査点状態マッピング装置。
【請求項１２】
前記時系列的マッピング手段は、
前記出力装置において、
時間の経過を表現する第一座標軸方向と、前記探査点状態検出手段により検出される探査点状態の状態の程度を表現する第二座標軸方向、の二方向により、二次元的に、前記探査点状態に関する時系列的マッピングを行う時系列的振幅マッピング手段を、さらに備えることを特徴とする請求項４〜請求項１１のいずれか一項に記載の探査点状態マッピング装置。
【請求項１３】
請求項１に記載の探査点状態マッピング装置であって、ｆＭＲＩと併用することにより、前記探査点状態が検出された前記探査点の前記観測対象領域における相対的位置と、その前記探査点状態が検出された時間において脳の各位置から検出される前記ｆＭＲＩ信号との対応を検出することにより、前記探査点の前記観測対象領域における相対的位置と、前記脳の各位置との神経学的関連性をマッピングすることを特徴とする。
【請求項１４】
請求項１に記載の探査点状態マッピング装置であって、
前記観測対象領域配置手段は、ミオクローヌスの発生を観測する観測対象としての人体に網羅的に、観測対象領域としての柔軟材を、密着的に配置する手段であり、
前記探査点配置手段は、前記柔軟材に対し高密度に探査点を配する手段であり、
前記探査点状態検出手段は、マイクロマシンとして作製される、磁歪効果及び磁気インピーダンス効果を利用した手段であること、
を特徴とする探査点状態マッピング装置。
【請求項１５】
請求項１に記載の探査点状態マッピング装置であって、
前記観測対象領域配置手段は、前記観測対象としての人体に対して、ミオクローヌスを観測する領域である前記観測対象領域を設定する手段であり、
前記探査点状態検出手段は、遠隔的光マイクロフォンにより、前記探査点配置手段により配される前記探査点における振動状態である探査点状態を検出する手段であること、
を特徴とする探査点状態マッピング装置。
【請求項１６】
請求項１４又は請求項１５に記載の探査点状態マッピング装置であって、
前記探査点状態マッピング手段は、
前記人体におけるいかなる部位にミオクローヌス等が発生したのかを、時間的に累積して、マッピングする手段を備えること、
を特徴とする探査点状態マッピング装置。
【請求項１７】
請求項１４〜請求項１６のいずれか一項に記載の探査点状態マッピング装置であって、
前記探査点状態マッピング手段は、
前記検出情報入力手段により前記ＣＰＵへ入力された情報を基に、
前記探査点状態が検出された前記探査点の、前記観測対象領域に対する相対的位置に基づく情報に基づき、前記ＣＰＵが、前記探査点状態に関する空間的マッピングを行い前記出力装置に出力する空間的マッピング手段と、
該空間的マッピング手段による前記探査点状態に関する空間的マッピングにおいて、空間的領域の選択の指示を受付ける空間的領域選択指示受付手段と、
該空間的領域選択指示受付手段により受付けられた前記空間的領域における前記探査点状態が検出された時間に基づく時間的情報に基づき、前記ＣＰＵが、前記空間的領域における探査点状態に関する時系列的マッピングを前記出力装置に出力する、空間時間写像手段とを、さらに備えることを特徴とする。
【請求項１８】
請求項１４〜請求項１７のいずれか一項に記載の探査点状態マッピング装置であって、
前記探査点状態マッピング手段は、
前記検出情報入力手段により前記ＣＰＵへ入力された情報を基に、
前記探査点状態が検出された時間に基づく時間的情報に基づき、前記ＣＰＵが、前記探査点状態に関する時系列的マッピングを行い前記出力装置に出力する時系列的マッピング手段と、
該時系列的マッピング手段による前記探査点状態に関する時系列的マッピングにおいて、
時間の選択の指示を受付ける時間選択指示受付手段と、
該時間選択指示受付手段により受付けられた前記時間における前記探査点状態が検出された前記探査点の、前記観測対象領域に対する相対的位置に基づく情報に基づき、
前記ＣＰＵが、前記時間における探査点状態に関する空間的マッピングを前記出力装置に出力する、時間空間写像手段とを、さらに備えることを特徴とする
【請求項１９】
前記探査点状態マッピング手段は、
前記探査点状態検出手段により検出される前記探査点状態の特性の重要性を判定する探査点状態特性判定手段をさらに備え、該探査点状態特性判定手段によって重要であると判定された前記探査点状態については、
前記出力装置からの出力において常に省略されることなく観察可能な表示形態で、前記ＣＰＵが、前記探査点状態に関してマッピングを行い出力装置に出力することを特徴とする請求項１〜１８のいずれか一項に記載の探査点状態マッピング装置。
【請求項２０】
請求項１４〜請求項１９のいずれか一項に記載の探査点状態マッピング装置であって、
ｆＭＲＩと併用することにより、
前記探査点状態が検出された前記探査点の前記観測対象領域における相対的位置と、その前記探査点状態が検出された時間において脳の各位置から検出される前記ｆＭＲＩ信号との対応を検出することにより、前記探査点の前記観測対象領域における相対的位置と、前記脳の各位置との神経学的関連性をマッピングすることを特徴とする。
【請求項２１】
請求項１４〜請求項１９のいずれか一項に記載の探査点状態マッピング装置であって、
光ＣＴと併用することにより、
前記探査点状態が検出された前記探査点の前記観測対象領域における相対的位置と、その前記探査点状態が検出された時間において脳の各位置から検出される前記光ＣＴ信号との対応を検出することにより、前記探査点の前記観測対象領域における相対的位置と、前記脳の各位置との神経学的関連性をマッピングすることを特徴とする。
【請求項２２】
請求項１に記載の探査点状態マッピング装置であって、光ＣＴと併用することにより、
前記探査点状態が検出された前記探査点の前記観測対象領域における相対的位置と、その前記探査点状態が検出された時間において脳の各位置から検出される前記光ＣＴ信号との対応を検出することにより、前記探査点の前記観測対象領域における相対的位置と、前記脳の各位置との神経学的関連性をマッピングすることを特徴とする。
【発明の詳細な説明】
【技術分野】
【０００１】ミオクローヌスマッピング装置に関する。
【背景技術】
【０００２】従来の技術に本発明のようなものはない。
【先行技術文献】
【非特許文献】
【０００３】
【非特許文献１】最新医学大辞典（１９８７、１９９０年）、医歯薬出版株式会社。
【発明の概要】
【発明が解決しようとする課題】
【０００４】ミオクローヌス等の発生の位置（領域）及び時間、並びに時間的変動を、（身体に対して網羅的に）空間的及び時間的高解像度で（自動的に）検出できる装置がない。
その検出結果を空間的（ミオクローヌス等発生の位置）及び時系列的（ミオクローヌス等発生の時間）に見やすく（必要に応じてその空間的情報と時系列的情報の相互の関連性（写像関係）を明示して）（自動的に）マッピングできる装置がない。【０００５】そのミオクローヌス等とは、微弱で、発生が空間的に局所的、ランダム的、時間的に散発的、瞬時的である（ため検出しにくく、見やすくマッピング表示しにくい）場合を含む。【０００６】（視覚認識されない）未知エネルギーの知的能力及び活動を受けて（地球上において）生じているものと考えられる人間が関心を持たない程度の（微弱で、発生が局所的、散発的、瞬時的である）振動の分布や移動、及び、その物体や空間に対する干渉を時空的高解像度で検出及びマッピングできる装置がない。【０００７】その未知エネルギーとは、異次元や異時間に起因するもの、及び、Ｄａｒｋ  ｅｎｅｒｇｙ、重力関連波、新規素粒子、不可視である未知の知的存在等に起因するものを含んでよい。
【課題を解決するための手段】
【０００８】請求項１に記載の発明は、
観測対象に観測対象領域を配置する観測対象領域配置手段と、
該観測対象領域配置手段により配置される前記観測対象領域に対して少なくとも一点以上の探査点を配する探査点配置手段と、
該探査点配置手段により配される前記探査点における状態である探査点状態を検出する探査点状態検出手段と、
該探査点状態検出手段により検出された前記探査点状態に関する情報を、該探査点状態が検出された前記探査点の前記観測対象領域における相対的位置に対応付けてＣＰＵへ入力する検出情報入力手段と、
該検出情報入力手段によりＣＰＵへ入力された情報を基に、ＣＰＵが、前記探査点状態に関するマッピングを行い出力装置に出力する探査点状態マッピング手段と、
を備えることを特徴とする探査点状態マッピング装置。【０００９】請求項２に記載の発明は、
前記探査点状態マッピング手段は、
前記検出情報入力手段により前記ＣＰＵへ入力された情報を基に、
前記探査点状態が検出された前記探査点の、前記観測対象領域に対する相対的位置に基づく情報に基づき、前記ＣＰＵが、前記探査点状態に関する空間的マッピングを行い前記出力装置に出力する空間的マッピング手段であることを特徴とする請求項１に記載の探査点状態マッピング装置。【００１０】請求項３に記載の発明は、
前記空間的マッピング手段は、さらに、前記出力装置に出力される前記空間的マッピングの表示の縮尺の変更を受け付け実行する空間的マッピング表示縮尺変更手段を備えることを特徴とする請求項２に記載の探査点状態マッピング装置。【００１１】請求項４に記載の発明は、
前記探査点状態マッピング手段は、
前記検出情報入力手段により前記ＣＰＵへ入力された情報を基に、
前記探査点状態が検出された時間に基づく時間的情報に基づき、前記ＣＰＵが、前記探査点状態に関する時系列的マッピングを行い前記出力装置に出力する時系列的マッピング手段をさらに備えることを特徴とする請求項１〜請求項３のいずれか一項に記載の探査点状態マッピング装置。【００１２】請求項５に記載の発明は、
前記時系列的マッピング手段は、さらに、前記出力装置に出力される前記時系列的マッピングの表示の縮尺の変更を受け付け実行する時系列的マッピング表示縮尺変更手段を備えることを特徴とする請求項４に記載の探査点状態マッピング装置。【００１３】請求項６に記載の発明は、
前記探査点状態マッピング手段は、
前記空間的マッピング手段による前記探査点状態に関する空間的マッピングにおいて、空間的領域の選択の指示を受付ける空間的領域選択指示受付手段と、
該空間的領域選択指示受付手段により受付けられた前記空間的領域における前記探査点状態が検出された時間に基づく時間的情報に基づき、前記ＣＰＵが、前記空間的領域における探査点状態に関する時系列的マッピングを前記出力装置に出力する、空間時間写像手段とを、さらに備えることを特徴とする請求項２又は請求項３に記載の探査点状態マッピング装置。【００１４】請求項７に記載の発明は、
前記時系列的マッピング手段は、さらに、前記出力装置に出力される前記時系列的マッピングの表示の縮尺の変更を受け付け実行する時系列的マッピング表示縮尺変更手段、を、備えることを特徴とする請求項６に記載の探査点状態マッピング装置。【００１５】請求項８に記載の発明は、
前記探査点状態マッピング手段は、
前記検出情報入力手段により前記ＣＰＵへ入力された情報を基に、
前記探査点状態が検出された時間に基づく時間的情報に基づき、前記ＣＰＵが、前記探査点状態に関する時系列的マッピングを行い前記出力装置に出力する時系列的マッピング手段と、
該時系列的マッピング手段による前記探査点状態に関する時系列的マッピングにおいて、
時間の選択の指示を受付ける時間選択指示受付手段と、
該時間選択指示受付手段により受付けられた前記時間における前記探査点状態が検出された前記探査点の、前記観測対象領域に対する相対的位置に基づく情報に基づき、
前記ＣＰＵが、前記時間における探査点状態に関する空間的マッピングを前記出力装置に出力する、時間空間写像手段とを、さらに備えることを特徴とする請求項１に記載の探査点状態マッピング装置。【００１６】請求項９に記載の発明は、
前記空間的マッピング手段は、さらに、前記出力装置に出力される前記探査点状態に関する空間的マッピングの表示の縮尺の変更を受け付け実行する空間的マッピング表示縮尺変更手段を備えること、
を特徴とする請求項８に記載の探査点状態マッピング装置。【００１７】請求項１０に記載の発明は、
前記時系列的マッピング手段は、さらに、前記出力装置に出力される前記探査点状態に関する時系列的マッピングの表示の縮尺の変更を受け付け実行する時系列的マッピング表示縮尺変更手段をさらに備えることを特徴とする請求項８又は請求項９に記載の探査点状態マッピング装置。【００１８】請求項１１に記載の発明は、
前記探査点状態マッピング手段は、
前記探査点状態検出手段により検出される前記探査点状態の特性の重要性を判定する探査点状態特性判定手段をさらに備え、該探査点状態特性判定手段によって重要であると判定された前記探査点状態については、
前記出力装置からの出力において常に省略されることなく観察可能な表示形態で、ＣＰＵが、前記探査点状態に関してマッピングを行い出力装置に出力することを特徴とする請求項１〜１０のいずれか一項に記載の探査点状態マッピング装置。【００１９】請求項１２に記載の発明は、
前記時系列的マッピング手段は、
前記出力装置において、
時間の経過を表現する第一座標軸方向と、前記探査点状態検出手段により検出される探査点状態の状態の程度を表現する第二座標軸方向、の二方向により、二次元的に、前記探査点状態に関する時系列的マッピングを行う時系列的振幅マッピング手段を、さらに備えることを特徴とする請求項４〜請求項１１のいずれか一項に記載の探査点状態マッピング装置。【００２０】請求項１３に記載の発明は、
請求項１に記載の探査点状態マッピング装置であって、ｆＭＲＩと併用することにより、前記探査点状態が検出された前記探査点の前記観測対象領域における相対的位置と、その前記探査点状態が検出された時間において脳の各位置から検出される前記ｆＭＲＩ信号との対応を検出することにより、前記探査点の前記観測対象領域における相対的位置と、前記脳の各位置との神経学的関連性をマッピングすることを特徴とする。【００２１】請求項１４に記載の発明は、
請求項１に記載の探査点状態マッピング装置であって、
前記観測対象領域配置手段は、ミオクローヌスの発生を観測する観測対象としての人体に網羅的に、観測対象領域としての柔軟材を、密着的に配置する手段であり、
前記探査点配置手段は、前記柔軟材に対し高密度に探査点を配する手段であり、
前記探査点状態検出手段は、マイクロマシンとして作製される、磁歪効果及び磁気インピーダンス効果を利用した手段であること、
を特徴とする探査点状態マッピング装置。【００２２】請求項１５に記載の発明は、
請求項１に記載の探査点状態マッピング装置であって、
前記観測対象領域配置手段は、前記観測対象としての人体に対して、ミオクローヌスを観測する領域である前記観測対象領域を設定する手段であり、
前記探査点状態検出手段は、遠隔的光マイクロフォンにより、前記探査点配置手段により配される前記探査点における振動状態である探査点状態を検出する手段であること、
を特徴とする探査点状態マッピング装置。【００２３】請求項１６に記載の発明は、
請求項１４又は請求項１５に記載の探査点状態マッピング装置であって、
前記探査点状態マッピング手段は、
前記人体におけるいかなる部位にミオクローヌス等が発生したのかを、時間的に累積して、マッピングする手段を備えること、
を特徴とする探査点状態マッピング装置。【００２４】請求項１７に記載の発明は、
請求項１４〜請求項１６のいずれか一項に記載の探査点状態マッピング装置であって、
前記探査点状態マッピング手段は、
前記検出情報入力手段により前記ＣＰＵへ入力された情報を基に、
前記探査点状態が検出された前記探査点の、前記観測対象領域に対する相対的位置に基づく情報に基づき、前記ＣＰＵが、前記探査点状態に関する空間的マッピングを行い前記出力装置に出力する空間的マッピング手段と、
該空間的マッピング手段による前記探査点状態に関する空間的マッピングにおいて、空間的領域の選択の指示を受付ける空間的領域選択指示受付手段と、
該空間的領域選択指示受付手段により受付けられた前記空間的領域における前記探査点状態が検出された時間に基づく時間的情報に基づき、前記ＣＰＵが、前記空間的領域における探査点状態に関する時系列的マッピングを前記出力装置に出力する、空間時間写像手段とを、さらに備えることを特徴とする。【００２５】請求項１８に記載の発明は、
請求項１４〜請求項１７のいずれか一項に記載の探査点状態マッピング装置であって、
前記探査点状態マッピング手段は、
前記検出情報入力手段により前記ＣＰＵへ入力された情報を基に、
前記探査点状態が検出された時間に基づく時間的情報に基づき、前記ＣＰＵが、前記探査点状態に関する時系列的マッピングを行い前記出力装置に出力する時系列的マッピング手段と、
該時系列的マッピング手段による前記探査点状態に関する時系列的マッピングにおいて、
時間の選択の指示を受付ける時間選択指示受付手段と、
該時間選択指示受付手段により受付けられた前記時間における前記探査点状態が検出された前記探査点の、前記観測対象領域に対する相対的位置に基づく情報に基づき、
前記ＣＰＵが、前記時間における探査点状態に関する空間的マッピングを前記出力装置に出力する、時間空間写像手段とを、さらに備えることを特徴とする【００２６】請求項１９に記載の発明は、
前記探査点状態マッピング手段は、
前記探査点状態検出手段により検出される前記探査点状態の特性の重要性を判定する探査点状態特性判定手段をさらに備え、該探査点状態特性判定手段によって重要であると判定された前記探査点状態については、
前記出力装置からの出力において常に省略されることなく観察可能な表示形態で、前記ＣＰＵが、前記探査点状態に関してマッピングを行い出力装置に出力することを特徴とする請求項１〜１８のいずれか一項に記載の探査点状態マッピング装置。【００２７】請求項２０に記載の発明は、
請求項１４〜請求項１９のいずれか一項に記載の探査点状態マッピング装置であって、
ｆＭＲＩと併用することにより、
前記探査点状態が検出された前記探査点の前記観測対象領域における相対的位置と、その前記探査点状態が検出された時間において脳の各位置から検出される前記ｆＭＲＩ信号との対応を検出することにより、前記探査点の前記観測対象領域における相対的位置と、前記脳の各位置との神経学的関連性をマッピングすることを特徴とする。【００２８】請求項２１に記載の発明は、
請求項１４〜請求項１９のいずれか一項に記載の探査点状態マッピング装置であって、
光ＣＴと併用することにより、
前記探査点状態が検出された前記探査点の前記観測対象領域における相対的位置と、その前記探査点状態が検出された時間において脳の各位置から検出される前記光ＣＴ信号との対応を検出することにより、前記探査点の前記観測対象領域における相対的位置と、前記脳の各位置との神経学的関連性をマッピングすることを特徴とする。【００２９】請求項２２に記載の発明は、
請求項１に記載の探査点状態マッピング装置であって、光ＣＴと併用することにより、
前記探査点状態が検出された前記探査点の前記観測対象領域における相対的位置と、その前記探査点状態が検出された時間において脳の各位置から検出される前記光ＣＴ信号との対応を検出することにより、前記探査点の前記観測対象領域における相対的位置と、前記脳の各位置との神経学的関連性をマッピングすることを特徴とする。
【発明の効果】
【００３０】本発明によれば、（本明細書において説明してあるように）発明が解決しようとする課題の解決が可能となる。
【図面の簡単な説明】
【００３１】
【図１】本発明の実施の形態を説明する図である。
【図２】本発明の実施の形態を説明する図である。
【図３】本発明の実施の形態を説明する図である。
【図４】本発明の実施の形態を説明する図である。
【図５】本発明の実施の形態を説明する図である。
【図６】本発明の実施の形態を説明する図である。
【図７】本発明の実施の形態を説明する図である。
【図８】本発明の実施の形態を説明する図である。
【図９】本発明の実施の形態を説明する図である。
【図１０】本発明の実施の形態を説明する図である。
【発明を実施するための形態】
【００３２】以下の記述におけるミオクローヌス等には、身体に生じるミオクローヌス（ｍｙｏｃｌｏｎｕｓ）、不随意運動、振戦等（に由来する振動）を含む。
【００３３】請求項１に記載の発明に関して説明する。
請求項１に記載の発明に関して、（本発明、探査点状態マッピング装置により）ミオクローヌス等を観測しようとする場合について説明する。
図１（模式的説明図）を参照して説明する。
図１０をも参照して説明する。
【００３４】観測対象１は、ミオクローヌス等を生じている（あるいは、生じる可能性のある）人体（の主に表面）である。
観測対象領域配置手段とは、人体に対して、（観測対象領域４を構成する物としての）（例えば）柔軟材を、（人体に生じるミオクローヌス等を検出できるように）（人体に密着的、近接的に）配置する手段である。
【００３５】その配置は、（人体に生じる（発生位置が定かではない場合を含む）ミオクローヌス等を人体においてなるべく網羅的に検出できるように）、人体に対して（できるだけ）広範囲に（（密着的に）覆う（包む）（あるいは（密着的に）粘着される）ように）行われてもよい。
（（簡略に観測を行うために、あるいは柔軟材を広範囲に人体に密着させることが難しいような人体部位に対して観測を行うために、あるいは（ミオクローヌス等の発生位置が定かであるため）焦点を定めた観測を行うため等、のために）局所的（に覆う（包む）（あるいは（密着的に）粘着される）ような）な配置であってもよい。）
（多数の局所的配置を（（密着的に）粘着されることにより）行うようにしてもよい。（それによって、人体の広範囲を網羅してもよいし、狭い範囲を網羅してもよい。））
【００３６】柔軟材とは、（人体に密着的（近接的）（あるいは粘着的）に配置することが可能（容易）なような）（非常に）柔軟性のある物であって、繊維、柔軟性のある高分子化合物（柔軟性のあるポリマー）、（柔軟性のある金属）等からなるものであってよい。
【００３７】柔軟材は、（より長時間（長期間）のミオクローヌス等の観測を（人体に不快を生じることなく）可能にするために）通気性の非常に良い物質（繊維）、あるいは通気性の非常に良い構造（例えば多孔質構造）から構成される物であってもよい。
【００３８】柔軟材は、（人体における（振動）状態の観測対象領域４への伝達を増大させるため、通気性を増大させるため等のために）厚さが非常に薄い物質（あるいは繊維）から構成される物であってもよい。
人体への密着性や、人体における（振動）状態の観測対象領域４への伝達を増大させるために、柔軟材は、人体に対して高吸着性の物質（繊維）、あるいは構造であってよい。
（観測対象１に対して、観測対象領域４を例えば積層的に（複数層）配置して、３次元的な観測を可能にする構成であってもよい。（相互作用を低減させるためにそれら層間には緩衝材等が配置されてもよい。））
【００３９】探査点配置手段とは、（観測対象領域４を構成する）柔軟材に、少なくとも一点以上の探査点２を配する（設定する）手段である。
探査点２とは、（（各）探査点２における（（微小）振動等の）状態である探査点状態を検出するための）（各）探査点状態検出手段７（例えば（超）高感度（振動）センサー等）を、柔軟材に配置する（組み込む）ための場所（位置）である。
【００４０】（ミオクローヌス等（の（人体（あるいは／並びに観測対象領域４）における）発生領域の位置、形状（及び、その時系列的変動））を、（従来にない）空間的高解像度で検出（及びマッピング）できるように）、非常に多数の（（超）微小な）探査点２を（柔軟材に）（高密度に）配置してもよい。
【００４１】あるいは、観測対象領域４（あるいは人体）における（各）位置の（ミオクローヌス等）観測上の重要性に応じた空間的解像度により（各位置に対する）検出（及びマッピング）ができるように）、
観測対象領域４の（各）位置において（ミオクローヌス等の）観測上の重要性に応じた（各）密度で、（（超）微小な）探査点２を配置してもよい。
【００４２】（探査点２における振動をより直接的に検出できるようにするために、柔軟材には、隣接探査点間の振動の波及を低減させる構造（緩衝材、緩衝層等）を有する構成があってもよい。）
【００４３】探査点状態検出手段７とは、
探査点配置手段により配される探査点２における（（ミオクローヌス等に由来する）振動等の）状態である探査点状態を検出する手段（例えば（超）高感度（振動）センサー）である。
【００４４】（探査点状態検出手段７は、（超）高感度（加速度）センサー、（超）高感度（圧力）センサー、等であってもよい。）
（例えば、検出された加速度を二回積分するなどして得られる変位（距離）情報により、（各）探査点状態検出手段７が配されている（各）探査点２に関する３次元的マッピングを可能にするために、）（各）探査点状態検出手段７が、（各）探査点状態検出手段７（探査点２）の加速度を３次元的に検出できるような（３軸直交的）構成であってもよい。
【００４５】（各）探査点状態検出手段７は、（（微小）振動（加速度、変位）（応力）を検出できるように）一般に知られたＭＩ（磁気インピーダンス）素子を利用した物（磁歪材（アモルファス磁歪材）への応力がその透磁率に影響を及ぼす磁歪効果と、高透磁率磁性体における表皮効果において、磁界がそのインピーダンスに敏感に影響を及ぼすことを利用する物）等（をチップ化した物（マイクロマシン））から構成されてもよい。３次元的検出を可能にするような（３軸直交的）構成であってもよい。
【００４６】（各）探査点状態検出手段７は、（（ミオクローヌス等に由来する）（微小）振動等を３次元的に検出できるように）（高感度に３次元的な位置を検出できる）（微小な）（高感度）３次元位置検出センサーから構成されてもよい。
その３次元位置検出センサーとしては、一般に知られた磁気インピーダンス素子（高透磁率磁性体における表皮効果において、外部磁界がそのインピーダンスに敏感に影響を及ぼすことを利用する物）を（例えば半導体プロセスにより３次元的に（半導体上に）直交配置して）（マイクロマシン）３次元磁界ベクトルセンサーとして利用してもよい。
【００４７】（（各）探査点状態検出手段７は、（（微小）振動（加速度、変位）を検出できる）（微小な）（高感度）振動ジャイロ等（例えば、一般に知られるような、圧電体を音叉的に用いて、音叉に作用する力を（例えば圧電効果により）検出することで（音叉の）変位を検出する物や、圧電効果によりコンデンサ電極に静電気力的に振動を生じさせておき、変位としてのコンデンサ間隔の変化を、コンデンサ電極間電圧の変化として（例えば圧電効果により）検出するような物等）から構成されてもよい。
振動ジャイロは、３次元的に変位（加速度）を検出できるように（３軸直交的に）構成された物であってもよい。）
【００４８】（各）探査点状態検出手段７は、（（微小）振動（加速度、変位）を検出できる）（微小な）（高感度）光ファイバージャイロ等（光ファイバーの変位（加速度）を、光ファイバー内を伝播する光の位相の変化により検出するような一般に知られた物）から構成されてもよい。
光ファイバージャイロは、３次元的に光ファイバーの変位（加速度）を検出できるように（３軸直交的に）構成された物であってもよい。
【００４９】（各）探査点状態検出手段７は、（（微小）振動（変位、圧力等）を検出できる）（微小な）光ファイバーセンサー等（光ファイバーの変位等を、（光ファイバーの屈折率変化等による）光ファイバー内を伝播する光の位相の変化により検出するような一般に知られた物）から構成されてもよい。
【００５０】（各）探査点状態検出手段７は、（（微小）振動（変位）を（電気的に）検出できる）（微小な）（一般に知られた）（ピエゾ効果）圧電素子から構成されてもよい。（柔軟性のある）ピエゾフィルム素子から構成されてもよい。圧電素子はノイズを低下させるために電磁的にシールドされた構成であってもよい。
【００５１】（各）探査点状態検出手段７は、（（微小）振動（変位）を（電気的に）検出できるための）（微小な）（一般に知られた）（ピエゾ効果）圧電効果を有する（柔軟な）（繊維的）素子から構成されてもよい。
【００５２】（各）探査点状態検出手段７は、（（微小）振動を音響的に検出できる）（微小な）（一般に知られた）（電磁的）マイクロフォンから構成されてもよい。
【００５３】（各）探査点状態検出手段７は、（（微小）振動を（静電容量の変化により）検出できる）（微小な）（一般に知られた）コンデンサーマイクロフォンから構成されてもよい。
【００５４】（各）探査点状態検出手段７は、（（微小）振動（変位）を音響的に検出できる）（プローブ光を例えば観測対象１（人体）に対して照射する）（微小な）光マイクロフォンから構成されてもよい。光マイクロフォンは、一般に知られているような物であってよい。
光マイクロフォンにおけるプローブ光は、可視光線あるいは（観測対象１のより内部の状態をも検出できるように）赤外線等であってよい。
光マイクロフォンにおけるプローブ光は、（低出力）レーザー光であってもよい。
【００５５】（各）探査点状態検出手段７は、（光源と光学センサーにより（周囲の）変動を検出する）光学式マウス、あるいは（宇宙航法における）スタートラッカー（Ｓｔａｒ  ｔｒａｃｋｅｒ）のように、（例えば観測対象１（人体）に対する）撮像画像の推移（の解析）から（観測対象１の）（微小）振動（変位）を検出できる（より小型化した）撮像装置（光学センサー）等から構成されてもよい。
その光学センサーにおけるプローブ光は、可視光線あるいは（観測対象１のより内部の状態をも検出できるように）赤外線等であってよい。
【００５６】（各）探査点状態検出手段７は、（（微小）振動（変位）を（（観測対象１（人体）と探査点状態検出手段７間の）距離の変化として）検出できる）（微小な）（レーザー）距離計から構成されてもよい。（レーザー）距離計は、一般に知られているような物であってよい。
（レーザー）距離計プローブ光は、可視光線、（観測対象１のより内部の状態をも検出できるように）（低出力の）電磁波、赤外線等であってよい。
【００５７】（（各）探査点状態検出手段７は、（低出力）電子（荷電素粒子）ビームを発射し、観測対象１（人体）から反発される電子（荷電素粒子）を計数する（ことにより観測対象１の（例えば観測対象１における振動の由来としての）電気的状態を（各）探査点２において検出する）（一般に知られるような）手段であってもよい。）
【００５８】（各）探査点状態検出手段７は、プローブ磁束密度を発し、（高感度）磁気センサー（例えば、磁気インピーダンス素子、（高感度）コイル、（ジョセフソン接合を用いた磁気センサー素子）超伝導量子干渉計（ＳＱＵＩＤ（Ｓｕｐｅｒｃｏｎｄｕｃｔｉｎｇ  Ｑｕｔａｎｔｕｍ  Ｉｎｔｅｒｆｅｒｅｎｃｅ  Ｄｅｖｉｃｅ）））等、により（（各）探査点２における）磁束密度を検出する（ことにより観測対象１（人体）の（例えば観測対象１における振動の由来としての）磁気的状態を（各）探査点２において検出する）手段であってもよい。）
【００５９】探査点状態検出手段７は、（探査点状態検出手段７の人体への密着可能性を高めるために）（また、探査点状態検出手段７を人体へ高密度に配置することを可能にするために）（一般に行われている）マイクロマシン技術（ＭＥＭＳ（Ｍｉｃｒｏｅｌｅｃｔｒｏｍｅｃｈａｎｉｃａｌ  ｓｙｓｔｅｍｓ）技術）、表面マイクロマシン技術（Ｓｕｒｆａｃｅ  ｍｉｃｒｏｍａｃｈｉｎｉｎｇ）、（半導体プロセス、プラズマエッチング）（バルクマイクロマシン技術）等により（超微小の）（マイクロマシンとして）作成されてもよい。
【００６０】探査点状態検出手段７は、（例えば同一基板上で）（一般に知られているような）無線チップ（検出情報入力手段３）と組み合わせることにより、検出情報に関してワイヤレスにＣＰＵ５と通信されるように構成してもよい。
【００６１】（各）探査点状態検出手段７は、有線あるいは（電磁的に）無線により給電が行われてもよい。
（各）探査点状態検出手段７は、（フィルム）電池、充電池等により給電が行われてもよい。
柔軟材が、（圧電効果、（（フィルム）太陽電池）等）発電能力を有する物である場合、探査点状態検出手段７は、柔軟材から給電されてもよい。
探査点状態検出手段７が、（圧電効果、（（フィルム）太陽電池）等）発電能力を有する物である場合、
自ら自らに対して給電を行ってもよい。
【００６２】検出情報入力手段３とは、
各探査点状態検出手段７により検出された各探査点（（近傍）の（微小）振動（加速度）等に関しての）状態に関する情報を、その各探査点状態が検出された各探査点２の、柔軟材上の相対的位置に対応付けて、（無線（あるいは有線）による通信により、（あるいは、半導体記憶装置等の記憶媒体に記憶した上で））ＣＰＵ５へ入力する手段である。
その（無線（あるいは有線）によるＣＰＵ５への通信は、（信号伝送距離に伴うノイズ等を低減させるために）各探査点状態検出手段７（に付随して設置される検出情報入力手段３）から（分散的に）行われるように構成してもよいし（ＳＮ比を保つために、信号増幅及びアナログデジタル変換が分散化されて行われてもよい）、あるいは各探査点状態検出手段７からの出力が柔軟材などにおいて束ねられた上で一括してＣＰＵ５へ通信されてもよい。
【００６３】各探査点状態検出手段７により入力が行われるＣＰＵ５とは、例えばコンピュータのＣＰＵ５であってもよい。
（ＣＰＵ５は、具体的には、ＣＰＵ５等のマイクロプロセッサ、ＲＡＭ（Ｒａｎｄｏｍ  Ａｃｃｅｓｓ  Ｍｅｍｏｒｙ）２３、ＲＯＭ（Ｒｅａｄ  Ｏｎｌｙ  Ｍｅｍｏｒｙ）２８、ＨＤＤ（Ｈａｒｄ  Ｄｉｓｃ  Ｄｒｉｖｅ）２７、キーボード２６、ポインティングデバイス２４、ディスプレイ８、プリンタ２５、及び通信インターフェース、検出情報入力手段３、等を含んで構成される。以上の各部分は、バス２９により接続されている。）
【００６４】探査点状態マッピング手段とは、
該検出情報入力手段３によりＣＰＵ５へ入力された情報を基に、ＣＰＵ５が、（演算装置による演算により）探査点状態に関するマッピング６を行い出力装置に出力する手段である。
その出力装置は、例えばコンピュータの（ＣＰＵ５に接続されている）ディスプレイ８（あるいは、コンピュータ制御された様々なディスプレイ）であってもよい。
（プリンタ２５を出力装置として利用してもよい。）
（ディスプレイ８は、例えば、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）、有機ＥＬ（Ｅｌｅｃｔｒｏ−Ｌｕｍｉｎｅｓｃｅｎｃｅ）ディスプレイ等からなる表示デバイスである。）
【００６５】次に、請求項１に記載の発明に関して、（本発明、探査点状態マッピング装置により）ミオクローヌス等を（ミオクローヌス等を生じている（あるいは生じる可能性のある）身体に）遠隔的に観測しようとする場合について説明する。
図９（模式的説明図）をも参照して説明する。
既述の請求項１に記載の発明に同一的部分は省略して説明する。
【００６６】この場合の観測対象領域配置手段とは、（人体（（模式的に）観測対象１）に対して）遠隔に設置された遠隔的光マイクロフォン３０により（人体に生じるミオクローヌス等を）観測するための範囲、領域（観測対象領域４）を、人体に対して設定する手段である。
その配置は、（人体に生じる（発生位置が定かではない場合を含む）ミオクローヌス等を人体においてなるべく網羅的に検出できるように）、人体に対して（できるだけ）広範囲に設定されてもよい。
（あるいは（簡略に、あるいは焦点を定めた観測を行うために）局所的な設定であってもよい。）
【００６７】（観測対象領域４の配置は、人体の範囲内に限らず、人体周辺の空間をも含むものとして設定される場合があってよい。これによって、人体におけるミオクローヌス等の発生と、周辺の空間（の例えば振動）状態との関係等が観測可能となる。）
【００６８】探査点配置手段とは、観測対象領域４に、少なくとも一点以上の探査点２を配する（設定する）手段である。
探査点２とは、（（各）探査点２の（振動等の）状態である探査点状態を検出するために）探査点状態検出手段７（例えば遠隔的光マイクロフォン３０）からのプローブ光等が、観測対象領域４に照射される場所（位置）である。
（ミオクローヌス等（の（人体における）発生領域の位置、形状（及び、その時系列的変動等））を（従来にない）空間的高解像度で検出（及びマッピング）できるように）、非常に多数の探査点２を（観測対象領域４に）（高密度に（あるいは観測対象領域４における（各）位置の（ミオクローヌス等の）観測上の重要性に応じた密度で（各位置に対して）））配置してもよい。
【００６９】（あるいは、観測対象領域４に、一点あるいは少数の探査点２を配することにより、簡略に、又は（ミオクローヌス等の発生位置が定かである場合等）焦点を定めた観測が行われてもよい。）
【００７０】探査点状態検出手段７は、一般に知られる光マイクロフォンを利用した物であって、
（各）探査点２におけるミオクローヌス等に由来する（微小）振動（変位）を、遠隔的に検出できる遠隔的光マイクロフォン３０から構成されてもよい。
【００７１】遠隔的光マイクロフォン３０は、遠隔的光マイクロフォン３０（あるいは遠隔的光マイクロフォン３０に対して近接的あるいは遠隔的に配置された光源）により照射されたプローブ光の人体からの反射を、（必要であれば光学フィルター、受光レンズ、信号の増幅等を経て）光学センサーやポジションセンサー等で検出し、解析（例えば、検出した信号の直流成分をハイパスフィルタ等で除去し、交流成分を増幅、デジタル化して、検出情報入力手段３によりＣＰＵ５に通信され、記憶装置（例えばＲＡＭ２３、ＨＤＤ２７、ＲＯＭ２８等）に記憶される、また、検出信号を記憶装置（例えばＲＡＭ２３、ＨＤＤ２７、ＲＯＭ２８等）から読み出し、一般に知られるフーリエ変換やリアルタイム処理用のＦＦＴ高速フーリエ変換を行うことにより、ミオクローヌス等に由来する（微小）振動（変位）により変調されている検出信号のスペクトルを明らかにすることができる）等することにより、（各）探査点２におけるミオクローヌス等の（微小）振動を検出する物であってよい。
（プローブ光として人体からの散乱光を受動的に利用する場合があってよい。）
遠隔的光マイクロフォン３０におけるプローブ光は、可視光線あるいは（観測対象１のより内部の状態をも検出できるように）赤外線等であってよい。
遠隔的光マイクロフォン３０におけるプローブ光は、（低出力）レーザー光であってもよい。
【００７２】（探査点状態検出手段７として、遠隔的光マイクロフォン３０の代わりに、
（（探査点２における）（微小）振動（変位）を（（探査点２と探査点状態検出手段７間の）距離の変化として）検出できる）（探査点２に対して遠隔的に配置された）（レーザー）距離計により構成されてもよい。
（レーザー）距離計プローブ光は、可視光線、（観測対象１のより内部の状態をも検出できるように）（低出力の）電磁波、赤外線等であってよい。）
【００７３】検出情報入力手段３とは、
遠隔的光マイクロフォン３０等の探査点状態検出手段７により検出された各探査点２（の（微小）振動（加速度）等に関しての）状態に関する情報を、その各探査点状態が検出された各探査点２の、観測対象領域４上の相対的位置（の情報）に対応付けて、（無線（あるいは有線）による通信により、（あるいは、半導体記憶装置等の記憶媒体に記憶した上で））ＣＰＵ５へ入力する手段である。
【００７４】遠隔的光マイクロフォン３０（探査点状態検出手段７）は、（観測対象１をより網羅的に観測できるように、あるいは、観測対象１を出力装置（例えばディスプレイ８等）において、より立体的に観測できるようにする（一般に知られる３次元的）画像処理をＣＰＵ５が行えるように）複数個の（観測対象１に対して遠隔的に異なる位置に配置された）遠隔的光マイクロフォン３０（探査点状態検出手段７）から構成される手段であってもよい。
【００７５】次に、請求項２に記載の発明に関して説明する。
図２（模式的説明図）をも参照して説明する。
【００７６】請求項２に記載の発明は、
請求項１に記載の探査点状態マッピング装置であって、
探査点状態マッピング手段は、
検出情報入力手段３によりＣＰＵ５へ入力された情報を基にして、ＣＰＵ５が取得する、（各）探査点状態が検出された（各）探査点２の、観測対象領域４における（各）（相対的）位置に基づく情報（（探査点状態に関する）空間的情報）に基づき、ＣＰＵ５が、観測対象領域４のいかなる部位（（相対的）位置、領域）にミオクローヌス等が発生したか（検出されたか）を表現する探査点状態に関する空間的マッピング９を行い出力装置（例えばディスプレイ８）に出力する手段である。
【００７７】その際、観測対象領域４のいかなる部位（（相対的）位置、領域）にミオクローヌス等が発生したか（検出されたか）に関して、観測対象領域４（あるいは／並びに人体）とミオクローヌス等発生位置との位置的関係をより明確に、ＣＰＵ５が、表現できるために、
（探査点状態に関する空間的マッピング９において、）
ＣＰＵ５が、出力装置（例えばディスプレイ８）に、
観測対象領域４（並びに／あるいは観測対象１（人体））を補助情報１５として描画する手段と、
その補助情報に重ねて、ミオクローヌス等の発生が検出された位置（領域）（探査点状態検出手段７により検出された探査点状態の情報（空間的情報））を画像合成する画像処理を行う手段と、があってもよい。
（その画像合成された空間的情報に、彩色あるいは濃淡等を付すことにより、各空間的情報が検出された各位置において検出された時間的情報（ミオクローヌス等の発生の時間的情報や、ミオクローヌス等の周波数的情報（あるいは一区切りの（時間的にひとまとまりをなす）ミオクローヌス等の発生に関しての周波数的情報）等）を重ねて表現する手段があってもよい。）
（補助情報１５には、合わせて人体の（標準的（あるいは医療統計学的））神経線維走向等が、マッピング解釈の参考情報として表示される手段があってもよい。）
（補助情報１５には、合わせて人体の（標準的（あるいは医療統計学的））筋肉配置図等が、マッピング解釈の参考情報として表示される手段があってもよい。）
【００７８】その補助情報１５において、観測対象領域４（並びに／あるいは観測対象１（人体））は、ＣＰＵ５による一般に知られた画像処理の演算処理により、例えば透過像的に描画されてもよいし、あるいは（Ｗｉｒｅ  Ｆｒａｍｅにおけるように）輪郭的に描画されてもよい。
【００７９】検出情報入力手段３によりＣＰＵ５へ入力された情報の中に、
（探査点状態検出手段７に由来して、）探査点２（探査点状態検出手段７）の３次元的位置情報が含まれる場合等においては、
ＣＰＵ５が、一般に知られた画像処理の演算処理により、補助情報１５を、３次元的に描画する手段と、
その補助情報に重ねて、ミオクローヌス等の発生が検出された位置（領域）（探査点状態検出手段７により検出された探査点状態の情報（３次元的空間的情報））を３次元的に画像合成する画像処理を行う手段と、があってもよい。
その場合、補助情報１５としての観測対象領域４（並びに／あるいは観測対象１（人体））は、隠線を透過的に描画する画像処理がＣＰＵ５により行われてもよいし、あるいは隠線消去する画像処理がＣＰＵ５により行われてもよい。
（補助情報１５には、合わせて人体の（標準的（あるいは医療統計学的））神経線維走向等が、マッピング解釈の参考情報として３次元的に表示される手段があってもよい。）
（補助情報１５には、合わせて人体の（標準的（あるいは医療統計学的））筋肉配置図等が、マッピング解釈の参考情報として３次元的に表示される手段があってもよい。）
（画像合成された３次元的空間的情報に、彩色あるいは濃淡等を付すことにより、各空間的情報が検出された各位置において検出された時間的情報（ミオクローヌス等の発生の時間的情報や、ミオクローヌス等の周波数的情報（あるいは（時間的にひとまとまりとなって一区切りを構成する）ミオクローヌス等の発生に関しての周波数的情報）等）を重ねて表現する手段があってもよい。）
（一般に知られている音源探査により、（複数の）探査点状態検出手段７により検出された探査点状態の情報から、音源の位置が探査され、探査された音源の位置に関する情報を、（３次元的）補助情報に重ねて、３次元的に画像合成する画像処理を行う手段を備えてもよい。）
【００８０】（観察者の視点の移動を可能にするために、）そのような３次元的表現に対して、表示回転や表示移動等の操作を可能とするな手段があってもよい。
【００８１】補助情報１５は、観測対象領域４の（（各）探査点状態検出手段７により検出される）空間的位置の実際を反映した表示であってもよいし、出力装置（例えばディスプレイ８）において、観測対象領域４を模式的に固定的に表す表示によるものであってもよい。
【００８２】探査点状態マッピング手段は、
より具体的には、
説明簡単化のために、観測対象領域４において探査点２が、例えば、２点設定されている場合について考えると、
観測対象領域４における探査点Ａ１０において、探査点状態検出手段Ａ１３により、ミオクローヌス等（に由来する振動）が検出され、探査点Ｂ１１においては、探査点状態検出手段Ｂ１４により、ミオクローヌス等（の振動）が検出されなかったような場合、それらの情報を含めて、検出情報入力手段３によりＣＰＵ５へ入力された情報を基にして、ＣＰＵ５は、出力装置（例えばディスプレイ８）において、観測対象領域４（あるいは／並びに観測対象１）を（空間的に）表す補助情報１５を描画し、それに重ねて画像合成的に、（観測対象領域４における）探査点Ａ１０の位置においてミオクローヌス等が検出されたことを表す（記録する）印として、探査点Ａ状態に関する空間的マッピング１２の表示を、（例えば）観測対象領域４における探査点Ａ１０の位置に対応する、補助情報１５における位置に対して行い、また、探査点Ｂ１１においてミオクローヌス等は検出されなかったことを表す（記録する）ために、観測対象領域４における探査点Ｂ１１の位置に対応する、補助情報１５における位置に対して、（簡略的には）例えば、何の印も表示しない表現を行うという探査点状態に関する空間的マッピング９の手段である。
【００８３】（探査点状態に関する空間的マッピング９において、）
探査点状態マッピング手段は、
（観測期間を通じて、人体のいかなる部位（位置、領域）にミオクローヌス等が発生したのかを、（観測期間に対して）時間的に累積的に表すことができるように、）
（観測期間を通じて、人体のいかなる部位（位置、領域）にミオクローヌス等が発生したのかを、概観して観察することができるように、）
人体におけるいかなる部位（位置、領域）にミオクローヌス等が発生したのかを、観測期間を通じて、（時間的に）累積して、マッピングする手段を備えてもよい。
【００８４】（探査点状態に関する空間的マッピング９において、）
探査点状態マッピング手段は、
（観測期間の時間的範囲内において）期間の指定を受付け、その受付けた期間を通じて、人体におけるいかなる部位（位置、領域）にミオクローヌス等が発生したのかを、累積して、マッピングする手段を備えてもよい。
（これによって、観察者は、指定の期間を通じて、人体のいかなる部位（位置、領域）にミオクローヌス等が発生したのかを、概観して観察することができるようになる。）
【００８５】（探査点状態に関する空間的マッピング９において、）
探査点状態マッピング手段は、
探査点状態検出手段７が検出する探査点状態の特性（例えば（ミオクローヌス等の振動の）周波数特性（あるいは、一区切り（時間的にひとまとまり）のミオクローヌス等（の発生）に関しての周波数的情報）（Ｈｚ特性）（（時間的に）持続的ミオクローヌスであるか散発的ミオクローヌスであるか））（あるいは、（例えば皮膚における）（各）振動受容器の（各）適刺激周波数及び閾値周波数）等の指定を受付け、その受付けた特性に関して、人体のいかなる部位（位置、領域）にその特性を有するミオクローヌス等が発生したのかを、累積して、マッピングする手段を備えてもよい。
（これによって、観察者は、例えば、持続的ミオクローヌス（あるいは散発的ミオクローヌス）が、人体のいかなる部位（位置、領域）に発生したのかを概観して観察することが可能となる。あるいは、例えば、Ｍｅｉｓｓｎｅｒ小体の適刺激周波数３０〜４０Ｈｚ程度の周波数的特性を有するミオクローヌスが、人体のいかなる部位（位置、領域）に発生したのか、や、Ｐａｃｉｎｉ小体の適刺激周波数２５０Ｈｚ程度の周波数的特性を有するミオクローヌスが、人体のいかなる部位（位置、領域）に発生したのか等を、を概観して観察することが可能となる。）
（必要であれば、周波数特性検出（ミオクローヌス等を構成する振動に対する周波数特性検出、あるいは、一区切り（時間的ひとまとまり）のミオクローヌス等の発生に関しての周波数特性）のために、ＣＰＵ５により、一般に知られているフーリエ変換等の演算処理が行われる手段があってもよい。）
【００８６】次に、請求項３に記載の発明に関して説明する。
図３（模式的説明図）をも参照して説明する。
【００８７】請求項３に記載の発明は、
請求項２に記載の探査点状態マッピング装置であって、
空間的マッピング手段は、
さらに、出力装置（例えばディスプレイ８）に出力される探査点状態に関する空間的マッピング９の表示の縮尺の変更を、ＣＰＵ５が受け付け実行する空間的マッピング表示縮尺変更手段１６を備える。
【００８８】この空間的マッピング表示縮尺変更手段１６によって、例えば、探査点状態に関する空間的マッピング９の表示を縮小すれば、ミオクローヌス等が発生した位置、領域の（観測対象領域４（あるいは人体）に対しての）マッピングの表示を、鳥瞰的に、行うことができ、観測対象領域４（あるいは人体）（広範囲）におけるミオクローヌス等の発生の位置（領域）を（一瞥で）概観することができる。
【００８９】あるいは、この空間的マッピング表示縮尺変更手段１６によって、例えば、探査点状態に関する空間的マッピング９の表示を拡大すれば、ミオクローヌス等が発生した位置、領域の（観測対象領域４（あるいは人体）に対しての）マッピングの表示を、高解像度に、行うことができ、しばしば人体の非常に狭い領域（非常に小さい面積）内において（限局的に）発生するミオクローヌス等の発生の位置、領域（形状）等を、（従来にない）高解像度で空間的にマッピング表示して詳しく観察することが可能となる。
【００９０】探査点状態に関する空間的マッピング９の表示が出力装置（例えばディスプレイ８）に表示しきれない場合には、探査点状態に関する空間的マッピング９の表示を移動させ得る手段（現在表示されていない部分を表示できるようにするための手段）をさらに備えてもよい。
【００９１】探査点状態に関する空間的マッピング９の表示は、
例えば、（観測対象領域４（あるいは観測対象１）を）正投影により投影図にするというような、一般に知られた演算処理をＣＰＵ５が行うことにより画像処理が行われるとしてもよい。
探査点状態に関する空間的マッピング９の表示は、
（観測対象領域４（あるいは観測対象１）に関して、）
正面図、背面図、左側面図、右側面図、平面図、底面図の六面の
いくらかに関して、ＣＰＵ５が、それらの画像処理のための演算処理を行い、出力装置（例えばディスプレイ８）に（並べて）表示するようにしてもよい。
あるいは、正面図、背面図、左側面図、右側面図、平面図、底面図の六面の全ての画像処理の演算処理をＣＰＵ５が行い、出力装置（例えばディスプレイ８）に（それらを並べて）表示するようにしてもよい。
【００９２】次に請求項４に記載の発明に関して説明する。
図４（模式的説明図）をも参照して説明する。
【００９３】請求項４に記載の発明は、
請求項１〜請求項３のいずれか一項に記載の探査点状態マッピング装置であって、
探査点状態マッピング手段は、
検出情報入力手段３によりＣＰＵ５へ入力された情報を基に、
探査点状態が検出された時間に基づく時間的情報に基づき、ＣＰＵ５が、探査点状態に関する時系列的マッピング１７を行い出力装置（例えばディスプレイ８）に出力する時系列的マッピング手段をさらに備える。
【００９４】その時系列的マッピング手段を、より具体的に説明する。
説明簡単化のために、観測対象領域４において探査点２が、例えば、２点設定されている場合について考える。
今、検出情報入力手段３によりＣＰＵ５へ入力された（検出）情報に基づき、
時刻ｔＡ３１に探査点Ａ１０においてミオクローヌス等（の振動が）（探査点状態検出手段Ａ１３により）検出され、時刻ｔＢ３２から時刻ｔＣ３３の時間を通して探査点Ｂ１１においてミオクローヌス等（の振動が）（探査点状態検出手段Ｂ１４により）検出され、その他の時刻においてはミオクローヌス等（の振動）が、（探査点状態検出手段Ａ１３と探査点状態検出手段Ｂ１４のいずれによっても）検出されなかったとの情報を、ＣＰＵ５が取得した場合について考える。
その場合、ＣＰＵ５は、出力装置（例えばディスプレイ８）において、例えば（観測）時間の経過を横軸にとり（時間軸）、ミオクローヌス等（の振動の）検出を（例えば）縦線等の印で（ミオクローヌス等発生の時間を）表すことで、探査点状態に関する時系列的マッピング１７を行う手段である。
【００９５】探査点状態に関する時系列的マッピング１７において、時刻ｔＡ３１に縦線を配置することで、時刻ｔＡ３１にミオクローヌス等（の振動が）検出されたことを表現し、
時刻ｔＢ３２からｔＣ３３に連続的に縦線を配置する（あるいは例えば塗りつぶす）ことで、時刻ｔＢ３２からｔＣ３３の時間を通してミオクローヌス等（の振動）が連続的に検出されたことを表現し、
（探査点状態に関する時系列的マッピング１７における）（時間軸の）他の位置に縦線を配置しないことで、それら他の時刻においてはミオクローヌス等（の振動が）検出されなかったことを表現している。
【００９６】観測時間（期間）が長大である場合等、探査点状態に関する時系列的マッピング１７の表示が出力装置（例えばディスプレイ８）に表示しきれない場合には、探査点状態に関する時系列的マッピング１７の表示を移動させ得る手段（現在表示されていない部分を表示できるようにするための手段）を備えてもよい。
観測時間（期間）が長大である場合等には、探査点状態に関する時系列的マッピング１７は、出力装置（例えばディスプレイ８）において、複数行に及んで（さらには複数ページに及んで）表示されてもよい。
【００９７】時系列的マッピング手段は、
観測対象領域４を、予め定められた（あるいは観察者により定められた）複数の領域に分割し、
各分割領域毎に、（（観測）時間の経過を表す）時間軸に対して、各領域内で生じたミオクローヌス等の発生時間（時刻）を（印により）記すことで、各分割領域毎に、探査点状態に関する時系列的マッピング１７を生成し、出力装置（例えばディスプレイ８）に、それらを（例えばそれらの領域を特定可能な名称を各々併記した上で）並列表記する手段を備えてもよい。
【００９８】時系列的マッピング手段は、
（予め記憶装置（例えばＲＡＭ２３、ＨＤＤ２７、ＲＯＭ２８等）に記憶してあるデータに照らして、（あるいは、観察者による指定に照らして、））
探査点状態検出手段７が検出した探査点状態を、
（ミオクローヌス等の振動の）周波数的特性（一区切り（時間的にひとまとまり）のミオクローヌス等の発生に関する周波数的特性）（あるいは、（例えば皮膚における）（各）振動受容器の（各）適刺激周波数及び閾値周波数）等に関して、複数のグループに区分し（例えば、（一区切りのミオクローヌスが、持続的であるか散発的であるか等により）持続的ミオクローヌスグループ、散発的ミオクローヌスグループ等）（あるいは、Ｍｅｉｓｓｎｅｒ小体（適刺激周波数３０〜４０Ｈｚとされる）グループ、Ｐａｃｉｎｉ小体（適刺激周波数２５０Ｈｚ程度とされる）グループ等、区分し）、
各グループ毎に、（（観測）時間の経過を表す）時間軸に、各グループ内で生じたミオクローヌス等の発生時間（時刻）を（印により）記すことで、各グループ毎に、探査点状態に関する時系列的マッピング１７を生成し、出力装置（例えばディスプレイ８）に、それらを（それらのグループを特定可能な周波数特性に関する名称（例えば、持続的ミオクローヌスグループ、散発的ミオクローヌスグループ等）（あるいは、Ｍｅｉｓｓｎｅｒ小体グループ、Ｐａｃｉｎｉ小体グループ等）を各々併記した上で）並列表記する手段を備えてもよい。
【００９９】探査点状態が検出された時間の測定は、ＣＰＵ５により行われてもよいし、検出情報入力手段３により行われてもよいし、（各）探査点状態検出手段７により行われてもよい。
【０１００】次に、請求項５に記載の発明に関して説明する。
図５（模式的説明図）をも参照して説明する。
【０１０１】請求項５に記載の発明は、
請求項４に記載の探査点状態マッピング装置であって、
時系列的マッピング手段は、さらに、出力装置（例えばディスプレイ８）に出力される探査点状態に関する時系列的マッピング１７の表示の縮尺の変更を受け付け実行する時系列的マッピング表示縮尺変更手段１８を備える。
【０１０２】この時系列的マッピング表示縮尺変更手段１８によって、例えば、探査点状態に関する時系列的マッピング１７の表示を縮小すれば、（（観測時間の経過を表す）時間軸に対する）探査点状態に関する時系列的マッピング１７の表示を、鳥瞰的に行うことができ、人体におけるミオクローヌス等の発生の時刻や時間（の時間軸に対する位置）を（一瞥で）概観することができる。
【０１０３】この時系列的マッピング表示縮尺変更手段１８によって、例えば、探査点状態に関する時系列的マッピング１７の表示を拡大すれば、（（観測時間の経過を表す）時間軸に対する）探査点状態に関する時系列的マッピング１７の表示を、高時間解像度で、行うことができ、しばしば人体において、非常に短時間の間に（瞬時的に）生じるミオクローヌス等の発生の時刻や時間（の詳細な時系列的特性）を、（従来にない）高解像度で時間的に（拡大して）マッピング表示することが可能となる。
【０１０４】探査点状態に関する時系列的マッピング１７の表示が出力装置（例えばディスプレイ８）に表示しきれない場合には、探査点状態に関する時系列的マッピング１７の表示を移動させ得る手段（現在表示されていない部分を表示できるようにするための手段）等をさらに備えてもよい。
【０１０５】次に、請求項６〜請求項１０に記載の発明に関して説明する。
図６（模式的説明図）をも参照して説明する。
図７（模式的説明図）をも参照して説明する。
【０１０６】請求項６に記載の発明は、
請求項２又は請求項３に記載の探査点状態マッピング装置であって、
空間的マッピング手段による探査点状態に関する空間的マッピング９において、（観察者から）空間的領域（あるいは空間的位置）の選択の指示を受付ける空間的領域選択指示受付手段と、
検出情報入力手段３によりＣＰＵ５へ入力された情報を基に、
探査点状態が検出された時間に基づく時間的情報に基づき、ＣＰＵ５が、探査点状態に関する時系列的マッピング１７を行う時系列的マッピング手段と（この時点（段階）におけるこの手段は、（時系列的マッピングでの時系列的位置（時間）の相対的把握を容易にするために）省略されないことが望ましいが、省略されることがあってもよい。）、
空間的領域選択指示受付手段により受付けられた空間的領域において探査点状態が検出された時間（時刻や時間に基づく時間的情報）に基づき、（（生成が省略されていない場合には、）時系列的マッピング手段により生成される探査点状態に関する時系列的マッピング１７に（画像合成的に）、）空間的領域において探査点状態が検出された時間（時系列的位置）を（時間軸において）表す（時間的）印を、空間的領域における探査点状態に関する時系列的マッピングとして、出力装置（例えばディスプレイ８）に出力する、空間時間写像手段とを、さらに備えることを特徴とする。
【０１０７】請求項７に記載の発明は、
請求項６に記載の探査点状態マッピング装置であって、
時系列的マッピング手段は、さらに、出力装置（例えばディスプレイ８）に出力される探査点状態に関する時系列的マッピング１７の表示の縮尺の変更を受け付け実行する時系列的マッピング表示縮尺変更手段１８、を、備えることを特徴とする。
この時系列的マッピング表示縮尺変更手段１８については、図５において説明したものと同等的である。
【０１０８】請求項８に記載の発明は、
請求項１に記載の探査点状態マッピング装置であって、
探査点状態マッピング手段は、
検出情報入力手段３によりＣＰＵ５へ入力された情報を基に、
探査点状態が検出された時間に基づく時間的情報に基づき、ＣＰＵ５が、探査点状態に関する時系列的マッピング１７を行い出力装置（例えばディスプレイ８）に出力する時系列的マッピング手段と、
時系列的マッピング手段による探査点状態に関する時系列的マッピング１７において、
（観察者から）時間（時刻あるいは時間（期間））の選択の指示を受付ける時間選択指示受付手段と、
検出情報入力手段３によりＣＰＵ５へ入力された情報を基に、
探査点状態が検出された探査点２の、観測対象領域４に対する相対的位置に基づく情報に基づき、ＣＰＵ５が、探査点状態に関する空間的マッピング９を行う空間的マッピング手段と（この時点（段階）におけるこの手段は、（空間的マッピングでの空間的位置の相対的把握を容易にするために）省略されないことが望ましいが、省略されることがあってもよい。）、
前記時間選択指示受付手段により受付けられた前記時間（時刻あるいは時間（期間））において探査点状態が検出された探査点２の、観測対象領域４に対する相対的位置に基づく情報に基づき、
ＣＰＵ５が、
（（生成が省略されていない場合には、）探査点状態に関する空間的マッピング９に（画像合成的に）、）前記時間において探査点状態が検出された探査点２の、観測対象領域４に対する相対的位置を（位置的に）反映する（空間（位置）的）印を、
前記時間における探査点状態に関する空間的マッピングとして出力装置（例えばディスプレイ８）に出力する、時間空間写像手段を、さらに備えることを特徴とする。
【０１０９】請求項９に記載の発明は、
請求項８に記載の探査点状態マッピング装置であって、
空間的マッピング手段は、さらに、出力装置（例えばディスプレイ８）に出力される探査点状態に関する空間的マッピング９の表示の縮尺の変更を受け付け実行する空間的マッピング表示縮尺変更手段１６を備えること、を特徴とする。
この空間的マッピング表示縮尺変更手段１６については、図３において説明したものと同等的である。
【０１１０】請求項１０に記載の発明は、
請求項８又は請求項９に記載の探査点状態マッピング装置であって、
時系列的マッピング手段は、さらに、出力装置（例えばディスプレイ８）に出力される探査点状態に関する時系列的マッピング１７の表示の縮尺の変更を受け付け実行する時系列的マッピング表示縮尺変更手段１８、を、備えることを特徴とする。
この時系列的マッピング表示縮尺変更手段１８については、図５において説明したものと同等的である。
【０１１１】より具体的には、
例えば、
探査点状態に関する空間的マッピングの位置３６において、時間５１に、ミオクローヌス等が検出され、
探査点状態に関する空間的マッピングの位置３７において、時間５２に、ミオクローヌス等が検出され、
探査点状態に関する空間的マッピングの位置３８において、時間５３に、ミオクローヌス等が検出され、
探査点状態に関する空間的マッピングの位置３９において、時間５４に、ミオクローヌス等が検出され、
探査点状態に関する空間的マッピングの位置４０において、時間５５に、ミオクローヌス等が検出され、
探査点状態に関する空間的マッピングの位置４１において、時間５６に、ミオクローヌス等が検出され、
探査点状態に関する空間的マッピングの位置４２において、時間５７に、ミオクローヌス等が検出され、
探査点状態に関する空間的マッピングの位置４３において、時間５８に、ミオクローヌス等が検出され、
探査点状態に関する空間的マッピングの位置４４において、時間５９に、ミオクローヌス等が検出され、
探査点状態に関する空間的マッピングの位置４５において、時間６０に、ミオクローヌス等が検出され、
探査点状態に関する空間的マッピングの位置４６において、時間６１に、ミオクローヌス等が検出され、
探査点状態に関する空間的マッピングの位置４７において、時間６２に、ミオクローヌス等が検出された、
との情報を、検出情報入力手段３により入力された情報により、ＣＰＵ５が取得している場合を考えるとする。
このような場合、空間的マッピング手段は、例えば図６におけるような（ミオクローヌス等の検出位置についての）探査点状態に関する空間的マッピング９を（（観測期間に対して）例えば時間的に累積的に）行う手段である。
（探査点状態に関する空間的マッピング９において、探査点位置に関する補助情報３４におけるような、観測対象領域４に対する（各）探査点の相対的な位置に関する補助的情報、あるいは、（（各）探査点の３次元的な位置が（各）探査点状態検出手段７により検出され得るような場合には）より正確に（各）探査点の３次元的な位置を（バーチャル・リアリティとして）再現するような補助的情報、が出力装置（例えばディスプレイ８）に示される手段があってもよい。）
【０１１２】このような場合、時系列的マッピング手段は、例えば図７におけるような（ミオクローヌス等の検出時間についての）探査点状態に関する時系列的マッピング１７を行う手段である。
【０１１３】（空間時間写像手段に関して、）
空間的領域選択指示受付手段とは、
（観察者が、）探査点状態に関する時系列的マッピング１７ではどのような時系列的位置（時間的位置）にあるかについて関心を有するような、探査点状態に関する空間的マッピング９における空間的（位置的）領域、の選択の指示（ここでは、一例として位置Ａ２０の選択指示）を、ＣＰＵ５が、観察者から（例えば、ポインティングデバイス２４や、ディスプレイ８におけるタッチパネル、キーボード２６等の入力装置を経て）受付ける手段である。
【０１１４】空間時間写像手段とは、
空間的領域選択指示受付手段により受付けられた空間的領域（ここでは、一例として位置Ａ２０）において探査点状態が検出された時間（ここでは時間Ａ２１）に基づき、ＣＰＵ５は、探査点状態に関する時系列的マッピング１７における時間Ａ２１（時間軸において時間Ａ２１の（時系列的）位置）に印を表示する等して、探査点状態に関する空間的マッピング９の表示と、探査点状態に関する時系列的マッピング１７の表示との関連性（対応）を、出力装置（例えばディスプレイ８）に明示する手段である。
【０１１５】この時、
探査点状態に関する時系列的マッピング１７ではどのような時系列的位置（時間的位置）にあるかについて観察者が関心を有する、探査点状態に関する空間的マッピング９における空間的（位置的）領域の選択の指示は、面積を有する範囲、領域として選択指定されてもよい。（複数箇所、複数領域、選択指定されてもよい。）
【０１１６】例えば、探査点状態に関する空間的マッピングの位置４０と探査点状態に関する空間的マッピングの位置４２を含む領域が、観察者により、（探査点状態に関する時系列的マッピング１７においては、どのような時系列的位置（時間的位置）にあるのか関心のある領域として）（空間的領域として）選択指定されたとすると（空間的領域選択指示受付手段により受付けられたとすると）、
空間時間写像手段は、
ＣＰＵ５が、探査点状態に関する時系列的マッピング１７における時間５５と、時間５７に対して印を表示する等して、
探査点状態に関する空間的マッピング９の表示と、探査点状態に関する時系列的マッピング１７の表示との関連性（対応）を、出力装置（例えばディスプレイ８）に明示する手段であってよい。
【０１１７】時間空間写像手段に関して、
時間選択指示受付手段とは、
（観察者が、）探査点状態に関する空間的マッピング９では、どのような空間的位置にあるかについて関心を有するような、探査点状態に関する時系列的マッピング１７における時刻（時間（期間））の選択の指示（ここでは、一例として時間Ａ２１の選択指示）を、ＣＰＵ５が、観察者から（例えば、ポインティングデバイス２４や、ディスプレイ８におけるタッチパネル、キーボード２６等の入力装置を経て）受付ける手段である。
【０１１８】時間空間写像手段とは、
時間選択指示受付手段により受付けられた時間（時刻あるいは時間（期間））（ここでは、一例として時間Ａ２１）において探査点状態が検出された探査点２の、観測対象領域４に対する（相対的）位置に基づく情報（ここでは、位置Ａ２０）に基づき、
ＣＰＵ５が、探査点状態に関する空間的マッピング９における位置Ａ２０に空間的印（前記時間において探査点状態が検出された探査点２の、観測対象領域４に対する相対的位置を、探査点状態に関する空間的マッピング９において（位置的に）反映する印）を付し、出力装置（例えばディスプレイ８）に出力する等して、探査点状態に関する時系列的マッピング１７の表示と、探査点状態に関する空間的マッピング９の表示との関連性（対応）を、明示する手段である。
【０１１９】この時、
探査点状態に関する空間的マッピング９ではどのような空間的位置にあるかについて観察者が関心を有する、探査点状態に関する時系列的マッピング１７における時間の選択の指示は、期間として選択指定されてもよい。（複数箇所、複数期間、選択指定されてもよい。）
【０１２０】例えば時間５５と時間５３を含む期間が、観察者により、（探査点状態に関する空間的マッピング９においては、どのような空間的位置にあるのか関心のある領域として）選択指定されたとすると、時間空間写像手段は、
ＣＰＵ５が、探査点状態に関する空間的マッピング９における探査点状態に関する空間的マッピングの位置４０と、探査点状態に関する空間的マッピングの位置３８に対して印を表示する等して、
探査点状態に関する時系列的マッピング１７の表示と、探査点状態に関する空間的マッピング９の表示との関連性（対応）を、出力装置（例えばディスプレイ８）に明示する手段であってよい。
【０１２１】その際、（この説明におけるより時間解像度の高い場合において、）選択指定された期間内を時間範囲として、時間的にあまり累積されていない（各（観測）期間に対する各）探査点状態に関する空間的マッピング９を時系列的に、（逐次）連続的に描画を行う等することにより、アニメーション的表現を行ってもよい。それによって、選択指定された期間内における、ミオクローヌス等の位置（領域の大きさ、その形等）の（空間的）変動を動的に視覚化して観察することができる。
【０１２２】次に、請求項１１に記載の発明に関して説明する。
図８を参照して説明する。
【０１２３】請求項１１に記載の発明は、
請求項１〜１０のいずれか一項に記載の探査点状態マッピング装置であって、
探査点状態マッピング手段は、
探査点状態検出手段７により検出される探査点状態の（ミオクローヌス等（振動））特性（の重要性（の程度））を、（例えば、予め記憶装置（例えばＲＡＭ２３、ＨＤＤ２７、ＲＯＭ２８等）に記憶された（ミオクローヌス等（振動）特性等に関する）データに照らして）判定する探査点状態特性判定手段２２（ステップＳ１）をさらに備え、該探査点状態特性判定手段２２により、重要である（例えば、（（ミオクローヌス等ではない振動と比較して）非常に）ミオクローヌス的特性を有する（（非常に）ミオクローヌス特有の）（振動）である）（あるいは、（ミオクローヌス等観測上）重要特性を有する（振動）である）（あるいは、観察者が指定する（あるいは予め記憶装置（例えばＲＡＭ２３、ＨＤＤ２７、ＲＯＭ２８等）に記憶されている）重要特性を有するような（振動）である）等と判定された探査点状態については、
ＣＰＵ５が、出力装置（例えばディスプレイ８）からの出力において、常に省略されることなく（観察者により、常に）観察可能な形で、マッピングを行い出力装置（例えばディスプレイ８）に出力する（ステップＳ２）ことを特徴とする。
ミオクローヌス等は、微弱で、発生が空間的に（非常に小面積で）局所的、ランダム的、時間的に散発的、（非常に）瞬時的である場合があるが（そのような場合が多いが）、そのようなマッピング表示することの難しいミオクローヌス等であっても、特にミオクローヌス等観測上重要特性を有するものについては、マッピングの表示が小さすぎ、視覚認識が困難であったり、（出力装置（例えばディスプレイ８）の解像度が低いこと等により表示できず）省略されたりすることのないように全て必ず（出力装置（例えばディスプレイ８）に（何らかの印で）マッピング表示することを可能にする手段である。
【０１２４】探査点状態マッピング手段は、
ミオクローヌス等の発生は、観測対象領域４に対して、空間的に非常に局所的な現象である場合があり、
（特に鳥瞰的表示を行う場合の）探査点状態に関する空間的マッピング９においては、ミオクローヌス等の発生した位置（領域、その形状等）を（観察者が）視覚認識可能な程度に詳細に表示することが難しい場合がある。このような時、探査点状態特性判定手段２２は、探査点状態検出手段７により検出された探査点状態（振動状態）が、（予め記憶装置（例えばＲＡＭ２３、ＨＤＤ２７、ＲＯＭ２８等）に記憶されたミオクローヌス特性データ等に照らして）（ミオクローヌス等ではない振動と比較して）非常にミオクローヌス的である、あるいは観察者が指定する（あるいは予め記憶装置（例えばＲＡＭ２３、ＨＤＤ２７、ＲＯＭ２８等）に記憶されている）重要特性を有するような（振動）である等、（ミオクローヌス等）観測上重要な特性を有するとＣＰＵ５が判断した場合等には、ＣＰＵ５は、その（重要特性を有する）探査点状態（振動状態）が検出された（探査点）位置を、（出力装置（例えばディスプレイ８）における）探査点状態に関する空間的マッピング９において、最低限でも視覚認識可能な程度に、（いかなる表示縮尺で（探査点状態に関する空間的マッピング９が）表示される場合であっても）（また、探査点状態がいかなる振幅であっても）省略されることなく常に観察可能な形で表示するような手段をさらに備えてもよい。
【０１２５】ミオクローヌス等の発生は、時間的に（観測時間（期間）に対して）非常に稀な（瞬時的）現象である場合があり、出力装置（例えばディスプレイ８）における探査点状態に関する時系列的マッピング１７において、（特に鳥瞰的表示において、）ミオクローヌス等の発生した時刻を視覚認識可能な程度に表示することが難しい場合がある。このような時、探査点状態特性判定手段２２は、探査点状態検出手段７により検出された探査点状態（振動状態）が、（予め記憶されたミオクローヌス特性データ等に照らして）（ミオクローヌス等ではない振動と比較して）非常にミオクローヌス的である、あるいは観察者が指定する（あるいは予め記憶装置（例えばＲＡＭ２３、ＨＤＤ２７、ＲＯＭ２８等）に記憶されている）重要特性を有するような（振動）である等、（ミオクローヌス等）観測上重要な特性を有するとＣＰＵ５が判断した場合には、ＣＰＵ５は、その（重要特性を有する）探査点状態（振動状態）が検出された時刻（時間）を、（出力装置（例えばディスプレイ８）における）探査点状態に関する時系列的マッピング１７において、最低限でも視覚認識可能な程度で、（いかなる表示縮尺で（探査点状態に関する時系列的マッピング１７が）表示される場合であっても）（また、探査点状態がいかなる振幅であっても）省略されることなく常に観察可能な形で表示するような手段であってもよい。
【０１２６】次に、請求項１２に記載の発明に関して説明する。
請求項１２に記載の発明は、
請求項４〜請求項１１のいずれか一項に記載の探査点状態マッピング装置であって、
時系列的マッピング手段は、
出力装置（例えばディスプレイ８）において、
時間の経過を表現する第一座標軸方向と、探査点状態検出手段７により検出される探査点状態の状態の程度（例えば振幅等）を表現する第二座標軸方向、の二方向により、二次元的に、探査点状態に関する時系列的マッピング１７を行う時系列的振幅マッピング手段を、さらに備える。
（第一座標軸方向（時間軸）、第二座標軸方向（例えば振幅軸）の情報（データ）に関しては、ミオクローヌス等をより観察しやすくする（例えば時間的にひとまとまりのミオクローヌス振動を一つのミオクローヌスとして観察する等）（（時間に対する振幅の）表示を低周波数化（粗く）する）ために、量子化的（例えば、（第一座標軸方向（時間軸）の目盛りに関して、所定の（例えば）等間隔を階級とし、それに対して計量される第二座標軸方向（振幅軸）度数を、階級を一辺とした柱状グラフ（ヒストグラム）の面積となるように表現する（ヒストグラム的）量子化等））に表示されてもよい。）
【０１２７】次に、請求項１３に記載の発明に関して説明する。
請求項１３に記載の発明は、
請求項１に記載の探査点状態マッピング装置であって、例えばｆＭＲＩ（ｆｕｎｃｔｉｏｎａｌ  Ｍａｇｎｅｔｉｃ  Ｒｅｓｏｎａｎｃｅ  Ｉｍａｇｉｎｇ）やＭＲＩ（Ｍａｇｎｅｔｉｃ  Ｒｅｓｏｎａｎｃｅ  Ｉｍａｇｉｎｇ）と併用することにより、
（各）探査点状態が検出された（各）探査点２の観測対象領域４における（各）相対的位置と、その（各）探査点状態が検出された時間において、脳の各位置から検出されるｆＭＲＩ信号との対応（例えば（強度等の）相関等）を、ＣＰＵ５が、検出（解析）することにより、（各）探査点の観測対象領域４における（各）相対的位置と、その（各）相対的位置に呼応する、脳の各位置との神経学的関連性を（詳細な空間的（時間的）解像度で）マッピングすることを特徴とする。
（ミオクローヌス等の由来の探索を可能にしようとする。）
ｆＭＲＩ等の代わりに、例えば光ＣＴが利用されてもよい。
【０１２８】請求項１３に記載の発明においては、
ｆＭＲＩ等の代わりに、（サイクロトロンで作成され人体に投与される陽電子放出性の放射性トレーサーが、人体で崩壊して生じる陽電子が、近傍電子と対消滅する時に生じるガンマ線を検出して、ＣＴ画像処理を行う、一般に知られる）ポジトロン断層法（ＰＥＴ（Ｐｏｓｉｔｒｏｎ  Ｅｍｉｓｓｉｏｎ  Ｔｏｍｏｇｒａｐｈｙ））等が用いられてもよい。
【０１２９】請求項１４〜請求項２２に記載の発明の説明については、
本明細書内にて既述されている。
【０１３０】さらに、上記の説明において、
観測対象１を人体から、空間や物質に代え、
ミオクローヌス等を、未知（未検出）エネルギー（の能力）に由来する振動（変位）等に変換すると、
上記の探査点状態マッピング装置は、
（視覚認識されない）未知エネルギーの知的能力及び活動を受けて（地球上において）生じているものと考えられる人間が関心を持たない程度の（微弱で、発生が局所的、散発的、瞬時的である）振動の分布や移動、及び、その物体や空間に対する干渉を時空的高解像度で検出及びマッピングできる装置となる。
【０１３１】その未知エネルギーとは、異次元や異時間に起因するもの、及び、Ｄａｒｋ  ｅｎｅｒｇｙ、重力関連波、新規素粒子、不可視である未知の知的存在等に起因するもの等を含んでよい。
【符号の説明】
【０１３２】１  観測対象
２  探査点
３  検出情報入力手段
４  観測対象領域
５  ＣＰＵ
６  探査点状態に関するマッピング
７  探査点状態検出手段
８  ディスプレイ
９  探査点状態に関する空間的マッピング
１０  探査点Ａ
１１  探査点Ｂ
１２  探査点Ａ状態に関する空間的マッピング
１３  探査点状態検出手段Ａ
１４  探査点状態検出手段Ｂ
１５  補助情報
１６  空間的マッピング表示縮尺変更手段
１７  探査点状態に関する時系列的マッピング
１８  時系列的マッピング表示縮尺変更手段
２０  位置Ａ
２１  時間Ａ
２２  探査点状態特性判定手段
２３  ＲＡＭ
２４  ポインティングデバイス
２５  プリンタ
２６  キーボード
２７  ＨＤＤ
２８  ＲＯＭ
２９  バス
３０  遠隔的光マイクロフォン
３１  時刻ｔＡ
３２  時刻ｔＢ
３３  時刻ｔＣ
３４  探査点位置に関する補助情報
３６  探査点状態に関する空間的マッピングの位置
３７  探査点状態に関する空間的マッピングの位置
３８  探査点状態に関する空間的マッピングの位置
３９  探査点状態に関する空間的マッピングの位置
４０  探査点状態に関する空間的マッピングの位置
４１  探査点状態に関する空間的マッピングの位置
４２  探査点状態に関する空間的マッピングの位置
４３  探査点状態に関する空間的マッピングの位置
４４  探査点状態に関する空間的マッピングの位置
４５  探査点状態に関する空間的マッピングの位置
４６  探査点状態に関する空間的マッピングの位置
４７  探査点状態に関する空間的マッピングの位置
５１  時間
５２  時間
５３  時間
５４  時間
５５  時間
５６  時間
５７  時間
５８  時間
５９  時間
６０  時間
６１  時間
６２  時間
【図１】
2011139892.tif 000003
【図２】
2011139892.tif 000004
【図３】
2011139892.tif 000005
【図４】
2011139892.tif 000006
【図５】
2011139892.tif 000007
【図６】
2011139892.tif 000008
【図７】
2011139892.tif 000009
【図８】
2011139892.tif 000010
【図９】
2011139892.tif 000011
【図１０】
2011139892.tif 000012